(57)【要約】【課題】箱体とスリーブとの組み合わせからなる包装容器の製造工程を変更することなく収納部分の小型化が必要に応じて行なえるようにし、収納している粒菓子がある程度以下に少なくなった時にその残りの粒菓子をまとまり良く取り扱えるようにする。【解決手段】箱体の中央に、箱体の長手方向に壁板８の高さ寸法と略同一の間隔をとって並ぶ二つの折り部からなる折曲可能な節１２を備え、節１２から箱体一端側までの一方の箱部の内側に節１２から箱体他端まで他方の箱部を折り入れ可能にした。【選択図】図２
2008302980.tif 000002
【特許請求の範囲】
【請求項１】
底板の周囲に壁板が位置して上面が開放されている紙製の箱体と、前記箱体がスライド可能に収納されるスリーブとからなる包装容器であって、
前記箱体の中央に設けられ、前記箱体の長手方向に前記壁板の高さ寸法と略同一の間隔をとって並ぶ二つの折り部からなる折曲可能な節と、
前記節から前記箱体の第一の端部までの第一の箱部、及び前記節から前記箱体の第二の端部までの第二の箱部のいずれか一方の前記壁板に設けられた係止手段と、
を備え、
前記節を折り曲げることによって前記第一の箱部の内側に前記第二の箱部を折り入れ可能であり、
前記第一の箱部の内側に前記第二の箱部を折り入れたときに、前記係止手段と、前記係止手段が設けられていない前記第一の箱部及び前記第二の箱部のいずれか一方の前記壁板とが係脱可能に係止されることを特徴とする包装容器。
【発明の詳細な説明】
【技術分野】
【０００１】
本発明は包装容器に関するものである。
【背景技術】
【０００２】
ガムや清涼菓子などの菓子商品においては、一個一個の粒菓子を包装してこれを一列に並べた状態で一枚の外包装紙により包装したり、また一個一個が包装された粒菓子を横長の箱体に一列に並べ入れ、さらにこの箱体をスリーブ（筒状の外装体）にスライド可能に収納したものが流通している（例えば、特許文献１参照）。そして、後者の箱体とスリーブとからなる包装容器では全体としての剛性が比較的高くなっており、商品購入者がこの商品を胸ポケットやバッグに入れたとしても潰れ難く、良好な取り扱い性を長く維持できる。さらに、粒菓子の取り出しに際しても、一枚の外包装紙で包装したものではその外包装紙を破って粒菓子を取り出すようになるため、外観を大きく損なわれるのに対して、箱体とスリーブからなるものでは廃棄するまで菓子商品の外観を保つことができるという優れた効果がある。
【特許文献１】特開２００２−４２０６８号公報
【発明の開示】
【発明が解決しようとする課題】
【０００３】
ところで、上述した外包装紙により複数個の粒菓子を包装した菓子商品に対して、この商品の購入者は、菓子が少なくなるに従って、外包装紙の余剰となる部分を切り捨てたり折り曲げたりするなどして、菓子商品全体を小型のものにして取り扱うようにしている。これに対して、箱体とスリーブとからなる包装容器においては上記利点の反面、収納している商品が少なくなっても全体形状を小型にすることができないのが現状であるが、粒菓子が少なくなると箱体内で大きく移動し易くなって安定的に収納できず、一枚の包装紙で包装する包装形態の菓子商品と同じように、必要時に収納空間を小さくすることができるようにしたいのと要望がある。
【０００４】
しかしながら、この包装容器を用いる菓子商品の生産工程では、一枚のブランクから組み起こした箱体に個別包装した粒菓子を並べ入れるとともに、サック貼りして扁平状態となっているスリーブを筒状に起こし（或いは一枚のブランクを組み起こし、サック貼りして筒状とする場合もある）、このスリーブに箱体を挿入してから全体を透明フィルムにて包装するという工程が組まれていて、上述した複数個の包装済みの粒菓子を一枚の外包装紙で包装する工程とは大きく異なっている。そのため、一枚の外包装紙にて複数個の粒菓子を包装した菓子商品は、上記包装容器を用いる製造工程では製造できないという問題があった。
【０００５】
そこで本発明は上記事情に鑑み、箱体とスリーブとの組み合わせからなる包装容器において、この包装容器の製造工程を変更することなく収納部分の小型化が必要に応じて行なえるようにすることを課題とし、収納している粒菓子がある程度以下に少なくなった時にその残りの粒菓子をまとまり良く取り扱えるようにすることを目的とする。
【課題を解決するための手段】
【０００６】
本発明は上記課題を考慮してなされたもので、底板の周囲に壁板が位置して上面が開放されている紙製の箱体と、前記箱体がスライド可能に収納されるスリーブとからなる包装容器において、前記箱体の中央に設けられ、前記箱体の長手方向に前記壁板の高さ寸法と略同一の間隔をとって並ぶ二つの折り部からなる折曲可能な節と、前記節から前記箱体の第一の端部までの第一の箱部、及び前記節から前記箱体の第二の端部までの第二の箱部のいずれか一方の前記壁板に設けられた係止手段とを備え、前記節を折り曲げることによって前記第一の箱部の内側に前記第二の箱部を折り入れ可能であり、前記第一の箱部の内側に前記第二の箱部を折り入れたときに、前記係止手段と、前記係止手段が設けられていない前記第一の箱部及び前記第二の箱部のいずれか一方の前記壁板とが係脱可能に係止されることを特徴とする。
【発明の効果】
【０００７】
本発明の包装容器によれば、箱体に収める粒菓子などの収容物が少なくなってきたときにその箱体を二つ折りすることで半分以下の大きさとなった収納手段が形成されて粒菓子をまとめて収めておくことができる。そして、包装容器を用いた菓子商品などの製造に際して、包装容器自体が従来のスリーブと箱体との組み合わせである点において何ら変るところがなく、既存の製造工程にてこの包装容器を用いて菓子商品を製造することができるようになるなど、実用性に優れた効果を奏するものである。
【発明を実施するための最良の形態】
【０００８】
つぎに本発明を図１から図３に示す実施の形態に基づいて詳細に説明する。図中１は包装容器で、該包装容器１は図１に示すように、角筒状となる紙製のスリーブ２とこのスリーブ２にスライド可能に収納される紙製の箱体３とからなるものである。そして、前記スリーブ２にこのスリーブ２の長さと同一とした横長の前記箱体３をスライド収納した状態で全体が透明なフィルム４にて覆われた状態が商品としての最終形態であり、前記フィルム４の一端側を取り除くことで前記スリーブ２の一方の開放部分を出し入れ口として箱体
３が出し入れされる。この箱体３の引き出しを容易にするために、前記スリーブ２の出し入れ口となる側には切り欠き５が設けられている。図１において符号６は箱体３に一列にして収納された粒菓子であり、この粒菓子６それぞれは包装紙にて包装されている。
【０００９】
図２に示されているように、箱体３は底板７の周囲に壁板８、９が位置して上面を開放した形状に設けられている。そして、この箱体３は一枚のブランク１０から組み上げられているものであって、前記底板７の四辺に壁板８、９を連接していて、壁板８、９それぞれを折り起こし、さらに箱体３の両端部に位置する壁板８を、箱体３の長辺側に位置する壁板９の高さ位置から箱体の内側に折り込むようにするとともに、その長辺側に位置する壁板９の両端に設けたフラップ１１を、前記壁板８の折り込み部分に差し入れるようにしている。
【００１０】
図示されているように、箱体３の長手方向における中央には節１２が位置している。前記節１２は、箱体３の長手方向に壁板９の高さ寸法Ａと略同一の間隔をとって並ぶ二つの折り部１３からなるもので、この節１２から箱体３が二つ折りできるように設けられている。上述したように節１２を構成する二つの折り部１３は、箱体３の幅方向に亘って（一方の壁板９の上端から底板７を経て他方の壁板９の上端まで）折り罫１３ａを入れてなるものであり、壁板９それぞれにおいては節１２での折り曲げが容易になるように逆山型上の切り欠き１４を有し、その切り欠き１４の下端から壁板９における折り罫１３ａの下端にまで亘る折り罫１３ｂが入れられている。
【００１１】
このようにして箱体３においては上記節１２から上面を合掌するように二つ折りすることが可能になっていて、前記節１２から箱体一端側までの一方の箱部１５の内側に、節１２から箱体他端まで他方の箱部１６を折り入れできるようにしている。これによって、箱
体３に半分以上の粒菓子が残っているときにはこの箱体３を上記スリーブ２に入れればよく、そして、他方の箱部１６に残りの粒菓子が収まる場合には上述したように節１２から一方の箱部１５を被せ付けるようにすることで、残り少ない粒菓子６を、小型の包装手段となった箱体３にてまとめることができ、二つ折りした箱体３も小さなボックス状となって取り扱いが容易な形状となる。なお、スリーブ２は使用しないので破棄する。
【００１２】
図３に示すように箱体３にあっては二つ折りした状態から一方の箱部１５を引き起こして粒菓子を取り易くするために、その一方の箱部１５における壁板９に切り欠き１７が設けられており、箱体３を二つ折りしたときにおいて前記切り欠き１７からは他方の箱部１６の壁板９が表出し、一方の箱部１５をつまみ持つとともに、この表出した壁板９の部分に指を掛けることで簡単に箱体３が開くようになり、よって、粒菓子の取り出しが簡単になる。
【００１３】
なお、箱体３を二つ折りして一方の箱部１５の内側に他方の箱部１６を入れた状態をより安定的にするために、例えば、折り合わせたときに対向する壁板８、９に相互に係脱可能に係止する爪片などの係止手段を設けるようにしてもよい。また、上記箱体３では、端部側に位置する壁板８、８を折り起こしてから内側に曲げ込んでいるが、箱部１６側の壁板８については必ずしも内側に曲げ込む必要はなく、箱部１６に収めた一部の粒菓子にかぶさるように折り曲げられるものであってもよい。そのようにした場合においても、箱体３の二つ折りに際してはこの箱部１６が箱部１５の内側に入り込むようにしているため、支障は生じない。さらに、この包装容器１を用いた菓子商品などの製造に際しては、前記包装容器１自体が従来のスリーブと箱体との組み合わせである点において何ら変るところがないため、既存の製造工程にてこの包装容器を用いて菓子商品を製造することができる。
【図面の簡単な説明】
【００１４】
【図１】本発明に係る包装容器の一例を示す説明図である。
【図２】一例における箱体を展開した状態を示す説明図である。
【図３】一例における箱体の折り畳みを示すもので、（イ）は折り起こす状態を示す説明図、（ロ）は箱体を折り曲げた状態を示す説明図である。
【符号の説明】
【００１５】
１  包装容器
２  スリーブ
３  箱体
４  フィルム
５  切り欠き
６  粒菓子
７  底板
８、９  壁板
１２  節
１３  折り部
１４  切り欠き
１５、１６  箱部
１７  切り欠き
Ａ  高さ寸法
【図１】
2008302980.tif 000003
【図２】
2008302980.tif 000004
【図３】
2008302980.tif 000005